(57)【要約】【課題】  動作モードを保守モードへの切替える際の作業を軽減することができ、紙葉類処理装置が保守モードで電源がオンしたり、保守モードで電源がオフされた紙葉類処理装置が通常モードで電源オンしたりすることがなく、保守員による保守モードの解除を確実に行うことができる。【解決手段】  保守員による保守モードへの切替の指示に応じて各カバーの開放を検知する処理を無効化して動作モードを保守モードに切替え、操作員により電源のオンが指示された場合、保守モードが有効であるか否かを判断し、保守モードが有効であれば当該紙葉類処理装置の電源をオンしないようにしたものである。【選択図】      図２
2006099278.tif 000002
【特許請求の範囲】
【請求項１】
物品を処理する処理機構と、
前記処理機構を覆うカバーと、
このカバーが開放状態であるか否かを検出するカバー開検出手段と、
前記処理機構による物品に対する処理動作の開始が指示された場合、前記カバー開検出手段による検出結果を無効として動作する保守モードの状態であるか否かを判断する判断手段と、
この判断手段により前記保守モードの状態でないと判断した場合、前記カバー開検出手段による検出結果を有効化して前記処理機構を動作可能な状態とする第１の制御手段と、
前記判断手段により前記保守モードの状態であると判断した場合、前記処理機構を動作不可な状態とする第２の制御手段と、
を具備したことを特徴とする物品処理装置。
【請求項２】
さらに、前記判断手段により前記保守モードの状態であると判断した場合、前記保守モードの状態である旨を報知する報知手段を有することを特徴とする前記請求項１に記載の物品処理装置。
【請求項３】
前記報知手段は、前記処理機構を動作可能な状態とするための動作用電源がオフの状態であっても点灯可能な表示手段である、ことを特徴とする前記請求項２に記載の物品処理装置。
【請求項４】
物品を処理する処理機構と、
前記処理機構を覆うカバーと、
このカバーが開放状態であるか否かを検出するカバー開検出手段と、
前記処理機構による物品の通常処理が指示された場合、前記カバー開検出手段による検出結果を無効として動作する保守モードの状態であるか否かを判断する判断手段と、
この判断手段により前記保守モードの状態でないと判断した場合、前記カバー開検出手段による検出結果を有効化し、前記処理機構による物品の処理を行う第１の制御手段と、
前記判断手段により前記保守モードの状態であると判断した場合、前記カバー開検出手段による検出結果を無効としたまま前記処理機構による物品の処理を行う第２の制御手段と、
を具備したことを特徴とする物品処理装置。
【請求項５】
さらに、前記第２の制御手段により前記カバー開検出手段による検出結果を無効としたまま前記処理機構による物品の処理を実施している間、前記カバー開検出手段による検出結果を無効としたまま前記処理機構による物品の処理を実施している旨を報知する報知手段を有することを特徴とする前記請求項４に記載の物品処理装置。
【請求項６】
さらに、前記処理機構への電源供給が指示された場合、前記保守モードの状態であるか否かを判断し、前記保守モードの状態であると判断した場合には前記処理機構への電源を供給せずに前記処理機構を動作不可な状態する第３の制御手段を有することを特徴とする前記請求項４に記載の物品処理装置。
【請求項７】
物品を処理する処理機構と、
前記処理機構を覆うカバーと、
このカバーが開放状態であるか否かを検出するカバー開検出手段と、
専用の鍵によってのみ動作モードを切替える操作を行うことが可能なキースイッチと、
前記処理機構による物品に対する処理動作の開始が指示された場合、前記キースイッチの状態が前記カバー開検出手段による検出結果を無効として動作する保守モードの状態であるか否かを判断する判断手段と、
この判断手段により前記キースイッチの状態が前記保守モードの状態でないと判断した場合、前記カバー開検出手段による検出結果を有効化して前記処理機構を動作可能な状態とする第１の制御手段と、
前記判断手段により前記キースイッチの状態が前記保守モードの状態であると判断した場合、前記処理機構を動作不可な状態とする第２の制御手段と、
を具備したことを特徴とする物品処理装置。
【発明の詳細な説明】
【技術分野】
【０００１】
本発明は、例えば、紙葉類などの物品を検査し、その検査結果に基づいて物品を処理する物品処理装置に関する。
【背景技術】
【０００２】
従来、物品を処理する物品処理装置などでは、種々の動作モードを有している。例えば、物品処理装置の動作モードとしては、物品を検査し、その検査結果に応じた処理を行う通常モード、当該物品処理装置の保守作業を行うための保守モードなどがある。また、物品処理装置には、各部にカバーが設けられており、それらのカバーにはカバーが開放状態か否かを検出する開検出装置が設けられている。上記保守モードでは、保守員が装置内部の保守作業を行うために、物品処理装置の各部に設けられているカバーを開放した状態で動作するようになっている。これに対して、通常モードでは、カバーが開放された状態では動作しないようになっている。
【０００３】
上記のような保守モードにおける物品処理装置の保守作業は、通常モードでの動作を操作する操作員とは異なる当該物品処理装置の保守に関する専門的な知識を有する保守員によって行われる場合が多い。従来の物品処理装置の保守モードでは、カバーの開検出装置を無効化するための専用の治具（無効化用治具）を当該物品処理装置に取り付けてカバーを開放した状態でも動作するようになっている。このような物品処理装置では、保守作業完了後、上記のような治具を保守員が取り外すことにより、保守モードから通常モードへ移行できるようになっている。
【０００４】
しかしながら、上記のような保守モードでは、複数のカバーに対して全てに無効化用治具を取り付け、さらに、保守作業終了後に確実に全ての無効化用治具を取り外さなければならない。このため、物品処理装置の保守作業に手間がかかってしまうという問題点がある。さらに、保守作業終了後に、保守員がカバー開検出装置の無効化用治具を取り忘れてしまった場合であっても、従来の物品処理装置には、動作モードや各カバーの開閉状態を操作者に報知する機能が無いという問題点がある。
【特許文献１】特開２００２−２０８０６８号
【発明の開示】
【発明が解決しようとする課題】
【０００５】
この発明は、上記のような問題点を解決するものであり、保守作業を効率化することができ、さらに、保守作業後に物品処理装置を稼動する場合において当該物品処理装置の状態を確実に報知することができる物品処理装置を提供することを目的とする。
【課題を解決するための手段】
【０００６】
この発明の物品処理装置は、物品を処理する処理機構と、前記処理機構を覆うカバーと、このカバーが開放状態であるか否かを検出するカバー開検出手段と、前記処理機構による物品に対する処理動作の開始が指示された場合、前記カバー開検出手段による検出結果を無効として動作する保守モードの状態であるか否かを判断する判断手段と、この判断手段により前記保守モードの状態でないと判断した場合、前記カバー開検出手段による検出結果を有効化して前記処理機構を動作可能な状態とする第１の制御手段と、前記判断手段により前記保守モードの状態であると判断した場合、前記処理機構を動作不可な状態とする第２の制御手段とを有する。
【０００７】
この発明の物品処理装置は、物品を処理する処理機構と、前記処理機構を覆うカバーと、このカバーが開放状態であるか否かを検出するカバー開検出手段と、前記処理機構による物品の通常処理が指示された場合、前記カバー開検出手段による検出結果を無効として動作する保守モードの状態であるか否かを判断する判断手段と、この判断手段により前記保守モードの状態でないと判断した場合、前記カバー開検出手段による検出結果を有効化し、前記処理機構による物品の処理を行う第１の制御手段と、前記判断手段により前記保守モードの状態であると判断した場合、前記カバー開検出手段による検出結果を無効としたまま前記処理機構による物品の処理を行う第２の制御手段とを有する。
【０００８】
この発明の物品処理装置は、物品を処理する処理機構と、前記処理機構を覆うカバーと、このカバーが開放状態であるか否かを検出するカバー開検出手段と、専用の鍵によってのみ動作モードを切替える操作を行うことが可能なキースイッチと、前記処理機構による物品に対する処理動作の開始が指示された場合、前記キースイッチの状態が前記カバー開検出手段による検出結果を無効として動作する保守モードの状態であるか否かを判断する判断手段と、この判断手段により前記キースイッチの状態が前記保守モードの状態でないと判断した場合、前記カバー開検出手段による検出結果を有効化して前記処理機構を動作可能な状態とする第１の制御手段と、前記判断手段により前記キースイッチの状態が前記保守モードの状態であると判断した場合、前記処理機構を動作不可な状態とする第２の制御手段とを有する。
【発明の効果】
【０００９】
この発明は、保守作業を効率化することができ、さらに、保守作業後に物品処理装置を稼動する場合において当該物品処理装置の状態を確実に報知することができる物品処理装置を提供することができる。
【発明を実施するための最良の形態】
【００１０】
この発明を実施するための最良の形態について図面を参照しつつ説明する。  
図１は、この発明の実施の形態に係る物品処理装置としての紙葉類処理装置１の内部構造を概略的に示す図である。図１に示すように、紙葉類処理装置１の内部には、紙葉類（物品）の種類や状態などを検査し、その検査結果に応じて紙葉類を区分処理したり、集積処理したりする処理機構が設けられている。また、上記紙葉類処理装置１には、図１に示すような内部機構（処理機構）を覆い隠すように各部に開閉可能なカバーが設けられ、さらに、それらのカバーの開閉状態を検知するカバー開検出装置が設けられている。なお、上記のようなカバーやカバー開検出装置については後で詳細に説明する。
【００１１】
図１に示すように、紙葉類処理装置１には、複数の紙葉類がセットされる供給部１１が設けられている。上記供給部１１には、セットされた紙葉類を取出部１２に押し付ける図示しないバックアッププレートが設けられている。上記取出部１２は、１対のローラなどにより構成され、上記供給部１１にセットされている紙葉類を１つずつ取出して搬送路１３に供給する。
【００１２】
上記取出部１２直後の搬送路１３上には、図示しない整列整位部が設けられており、その整列整位部により紙葉類は姿勢が整えられて上記搬送路１３により検査部１４へ搬送される。また、２枚取りと判定された紙葉類あるいは所定のレベルを超えて大きくスキューしている紙葉類などの上記検査部１４による検査が不能な紙葉類は、上記検査部１４の手前で排除集積部１５へ搬送される。上記検査部１４は、紙葉類の種類および状態（表裏、向き、汚れや破損の有無等）が検査するものである。すなわち、上記搬送路１３により搬送される紙葉類は、上記検査部１４において種類及び状態が検査されつつ後段へ搬送される。
【００１３】
上記検査部１４により排除すべきであると判定された紙葉類は、上記搬送路１３によりオーディット集積部１６に搬送される。例えば、正常な紙葉類でないと判定された紙葉類は上記オーディット集積部１６に搬送される。また、上記検査部１４により裁断すべきであると判定された紙葉類は、セキュリティボックス１７へ搬送される。例えば、正常な紙葉類であるが傷や汚れ等により状態が悪い集積不要な紙葉類などがセキュリティボックス１７へ搬送される。また、上記セキュリティボックス１７内には、裁断部１８が設けられており、上記裁断部１８によりセキュリティボックス１７に搬送された紙葉類は裁断処理される。
【００１４】
また、上記検査部１４により正常な券であると判定された紙葉類は、その種類に応じて区分され、各集積部１９（１９ａ、１９ｂ、１９ｃ、１９ｄ）へ搬送され、各施封部２０（２０ａ、２０ｂ、２０ｃ、２０ｄ）に集積される。なお、２枚取りと判定された紙葉類あるいは所定のレベルを超えて大きくスキューしている紙葉類などは、上記検査部１４にて検査不能と判定され、上記排除集積部１５へ搬送される。各集積部１９ａ、１９ｂ、１９ｃ、１９ｄは、それぞれ施封部２０ａ、２０ｂ、２０ｃ、２０ｄと対になっている。上記施封部２０は、各集積部１９により集積した紙葉類を所定数ごとに施封する。上記施封部２０により施封された紙葉類（把）は、把集積部２１に集積される。上記把集積部２１に集積された把は、把搬送部２２により搬送される。
【００１５】
また、紙葉類処理装置１の上記供給部１１の近傍には、操作盤３１が設けられており、さらに、操作盤３１の近傍には表示部３２が設けられている。上記操作盤３１は、操作者あるいは保守員により入力される種々のキーが設けられている。例えば、上記操作盤３１には、電源投入キーなどの操作キーや後述するキースイッチなどが設けられている。上記表示部３２は、例えば、液晶表示装置などにより構成される。上記表示部３２には、当該紙葉類処理装置の動作状態、操作案内あるいは紙葉類に対する処理結果などが表示される。また、上記表示部３２には、当該紙葉類処理装置の動作状態を報知するための警告なども表示される。
【００１６】
次に、紙葉類処理装置１の制御系統の構成について説明する。  
図２は、紙葉類処理装置１の制御系統の構成を概略的に示す図である。  
図２に示すように、上記紙葉類処理装置１には、装置全体を制御する主制御部４１が設けられている。また、上記主制御部４１は、当該紙葉類処理装置１の動作モードの切替えを行う切替手段として機能する。
【００１７】
ここで、当該紙葉類処理装置１は、動作モードとして、保守モードと通常モードとを有しているものとする。上記保守モードは、保守員が装置内部の保守作業を行うために、物品処理装置の各部に設けられているカバーを開放した状態で動作する動作モードである。また、上記通常モードは、操作員が紙葉類に対する処理（検査処理及び区分処理）を行う動作モードである。この通常モードは、カバーが開放された状態では動作しないようになっているものとする。
【００１８】
また、図２に示すように、上記主制御部４１には、メモリ部４２、表示部３２、操作盤３１、搬送制御部４３、検査部１４、集積制御部４４、カバー開検出装置４５などが接続されている。  
上記メモリ部４２は、種々のメモリにより構成される。例えば、上記メモリ部４２は、上記主制御部４１が実行する制御プログラムや制御データがなどが記憶されているメモリ、紙葉類に対する処理結果などを記憶するメモリなどにより構成される。上記搬送制御部４３は、上記取出部１２や上記搬送路１３などを制御するものである。上記搬送制御部４３は、上記主制御部４１の制御に基づいて上記検査部１４の検査結果に応じた紙葉類の搬送及び区分などを制御する。上記集積制御部４４は、集積部１９、施封部２０、把集積部２１及び把搬送部２２などを制御部するものである。上記集積制御部４４は、上記主制御部４１の制御に基づいて、各施封部２０による紙葉類の施封処理あるいは施封した把に対する処理などを制御する。
【００１９】
また、上記カバー開検出装置４５は、当該紙葉類処理装置１に設けられている各カバー４６の開閉状態を検知するものである。上記カバー開検出装置４５は、各カバーが開放状態であるか否かを示す信号を上記主制御部４１へ供給するようになっている。また、上記操作盤３１には、操作キーとして、当該紙葉類処理装置１の動作スイッチとしての電源キー３１ａ、当該紙葉類処理装置１への電源供給のオンオフを制御する主電源ボタン３１ｂ、および物理的な鍵（保守用のキー）により操作されるキースイッチ３１ｃなどが設けられている。また、上記表示ランプ４７は、例えば、当該紙葉類処理装置１の動作状態に応じて点灯するランプである。
【００２０】
また、上記電源キー３１ａは当該紙葉類処理装置１の動作用電源のオンオフ（紙葉類処理装置内の搬送機構や集積機構などの処理機構が動作可能な状態か動作不可な状態か）を切替えるものであり、主電源ボタン３１ｂは当該紙葉類処理装置１への電源供給のオンオフを切替えるものである。すなわち、紙葉類に対する処理は処理機構が動作可能な状態（動作用電源がオン）である場合に機能し、上記主制御部４１、操作盤３１および表示ランプ４７等は、上記主電源ボタン３１ｂがオンの状態であれば処理機構が動作不可な状態（動作用電源がオフ）であっても機能するものとする。
【００２１】
なお、以下の説明では、単に、紙葉類処理装置１の電源オンという場合、当該紙葉類処理装置１内の処理機構が動作可能な状態、つまり、紙葉類に対する処理動作がオンであることを意味するものとする。また、単に、紙葉類処理装置１の電源オフという場合、当該紙葉類処理装置１内の処理機構が動作不可な状態、つまり、紙葉類に対する処理動作がオフであることを意味するものとする。
【００２２】
以下、上記のように構成される紙葉類処理装置１の動作例について説明する。  
まず、第１の動作例として保守モードにおける保守作業の手順について説明する。  
図３は、保守モードにおける保守作業の手順を説明するためのフローチャートである。図３に示す動作例では、通常モードで電源がオンとなっている紙葉類処理装置１を保守員が保守モードに切替えて保守作業を行うものとする。まず、紙葉類処理装置１が通常モードで電源がオンとなっているものとする（ステップＳ１１）。通常モードで電源がオンしている状態において、当該保守員は、上記操作盤３１により当該紙葉類処理装置１の動作モードを保守モードに切替えるための操作を行う（ステップＳ１２）。この動作モードを切替えるための操作例については後で説明するが、通常モードから保守モードへの切替、及び、保守モードから通常モードへの切替は、保守員のみが行えるものとする。
【００２３】
当該紙葉類処理装置１の動作モードを保守モードへ切替える旨の操作がなされると、上記主制御部４１は、当該紙葉類処理装置１の動作モードを通常モードから保守モードに切替える処理を行う（ステップＳ１３）。動作モードを保守モードへの切替処理において、上記主制御部４１は、当該各カバー開検出装置４５による各カバー４６の開検出処理を無効化する。各カバー４６の開検出処理を無効化すると、上記主制御部４１は、保守モードの動作として、カバー４６が開放されている状態であっても、当該紙葉類処理装置１内の各部を動作させる（ステップＳ１５）。
【００２４】
上記のような動作によって保守モードに切替ると、保守員は、必要に応じてカバー４６を開放し（ステップＳ１４）、当該紙葉類処理装置１の保守作業を行う（ステップＳ１５）。この保守作業が完了すると、保守員は、開放したカバー４６を閉じる（ステップＳ１６）。さらに、保守作業を完了してカバー４６を閉じた後、保守員は、保守モードを解除（保守モードから通常モードへの切替）する旨の操作を行う（ステップＳ１７）。
【００２５】
ここで、保守員が保守モードを解除する旨の操作を行った場合（ステップＳ１７）、上記主制御部４１は、当該紙葉類処理装置１の動作モードを保守モードから通常モードへ切替える処理を行う（ステップＳ１８）。保守モードから通常モードへの切替処理において、上記主制御部４１は、まず、各カバー開検出装置４５による各カバー４６の開検出を有効化し、各カバーの開閉状態をチェックする。このチェックにより各カバー４６が閉じた状態であることを確認すると、上記主制御部４１は、当該紙葉類処理装置１の動作モードを通常モードとする。これにより、当該紙葉類処理装置１は、通常モードの動作として各カバー４６が閉じた状態でのみ動作が可能となる。
【００２６】
当該紙葉類処理装置１の動作モードを通常モードに切替えた後、保守員は電源キー３１ａを電源オフの状態とする（ステップＳ１９）。これにより電源キー３１ａが電源オフの状態になると、上記主制御部４１は、通常モードの状態で当該紙葉類処理装置１の電源をオフとする（ステップＳ２０）。
【００２７】
なお、保守モードの解除（通常モードへの切替）を行わずに、保守モードのままで保守員が電源キー３１ａをオフの状態にした場合には（ステップＳ１９）、上記主制御部４１は、保守モードの状態で当該紙葉類処理装置１の電源をオフとする（ステップＳ２０）。
【００２８】
上記のように、第１の動作例によれば、保守員による保守モードへの切替の指示に応じて、各カバーの開放を検知する処理を無効化して動作モードを保守モードに切替るようにすることにより、動作モードを保守モードへの切替える際の作業を軽減することができる。
【００２９】
次に、第２の動作例としての通常モードにおける通常作業の手順について説明する。  
図４は、第２の動作例としての通常モードでの通常作業の手順を説明するためのフローチャートである。図４に示す第２の動作例では、電源がオフとなっている紙葉類処理装置１に対して操作員が電源をオンし、通常作業を実行する場合について説明する。
【００３０】
まず、操作員は、操作盤３１の電源キー３１ａを電源オンの状態とする。すると、上記主制御部４１は、上記電源キー３１ａが電源オンの状態となったことを検知する（ステップＳ３１）。上記電源キー３１ａが電源オンの状態となると、上記主制御部４１は、当該紙葉類処理装置１の電源をオンすることが可能であるか否かを判断する（ステップＳ３２）。
【００３１】
この判断は、当該紙葉類処理装置１が現在（つまり、前回電源をオフした時）、保守モードであるか否かにより判断する。例えば、当該紙葉類処理装置１が現在保守モードである場合、上記主制御部４１は、当該紙葉類処理装置１の電源をオンすることができないものと判断し、当該紙葉類処理装置１が現在保守モードでない場合（例えば、通常モードである場合）、上記主制御部４１は、当該紙葉類処理装置１の電源をオンすることが可能であると判断する。
【００３２】
これは、保守モードで電源がオンしたり、保守モードの状態で電源がオフされた紙葉類処理装置が通常モードで電源オンしたりしないようにするものである。この結果として、保守員が保守モードを解除し忘れて当該装置１の電源をオンした場合であっても、操作員が保守モードで紙葉類処理装置１の電源をオンしたり、保守モードの状態である紙葉類処理装置１を通常モードで電源オンしたりしないようにすることができる。
【００３３】
上記判断により当該紙葉類処理装置１の電源をオンすることが可能でないと判断した場合、つまり、当該紙葉類処理装置１が保守モードのままであると判断した場合（ステップＳ３２、ＮＯ）、上記主制御部４１は、当該紙葉類処理装置１の電源をオンにしない。この場合、例えば、上記電源キー３１ａを電源オンの状態できないようにしたり、電源オンの状態にされた上記電源キー３１ａを電源オフの状態に戻すようにしたりすることにより、上記電源キー３１ａへの電源オンの指示を無効とする。また、保守員によって当該紙葉類処理装置１の動作モードが通常モードに切替えられるまで当該紙葉類処理装置１の電源はオンすることができないようになっている。
【００３４】
従って、当該操作員は、例えば、保守員に連絡して当該紙葉類処理装置１の動作モードを通常モードに切替えるよう要請する。このような要請に応じて保守員が当該紙葉類処理装置１の動作モードを通常モードへ切替える操作（保守モードを解除する操作）を行う（ステップＳ３３）。すなわち、保守員が当該紙葉類処理装置１の動作モードを通常モードへ切替える操作（保守モードを解除する操作）を行った場合、上記主制御部４１は、上記ステップＳ１８と同様に、当該紙葉類処理装置の動作モードを通常モードへ切替える切替処理を実行する（ステップＳ３４）。これにより、当該紙葉類処理装置１の動作モードが通常モードに切替えられる。
【００３５】
また、上記判断により当該紙葉類処理装置１の電源をオンすることが可能であると判断した場合、つまり、当該紙葉類処理装置１が通常モードであると判断した場合（ステップＳ３２、ＹＥＳ）、上記主制御部４１は、通常モードにて当該紙葉類処理装置１の電源をオンする（ステップＳ３５）。これにより、当該紙葉類処理装置１は、通常モードによる紙葉類の区分集積処理などの通常処理が可能となる（ステップＳ３６）。また、通常モードによる通常処理が終了した場合、操作員は、通常モードのまま電源キー３１ａを電源オフの状態にする（ステップＳ３７）。すると、上記主制御部４１は、通常モードの状態で当該紙葉類処理装置１の電源をオフとする（ステップＳ３８）。
【００３６】
上記のように、第２の動作例によれば、操作員により電源のオンが指示された場合に、当該紙葉類処理装置の動作モードとして保守モードが有効であるか否かを判断し、保守モードが有効である場合には当該紙葉類処理装置の電源をオンしないようにしたものである。これにより、紙葉類処理装置が保守モードで電源がオンしたり、保守モードで電源がオフされた紙葉類処理装置が通常モードで電源オンしたりすることがなく、保守員による保守モードの解除（通常モードへの切替え）を確実に行うことができる。
【００３７】
次に、第３の動作例としての通常モードにおける通常作業の手順について説明する。  
図５は、第３の動作例としての通常モードでの通常作業の手順を説明するためのフローチャートである。図５に示す第３の動作例では、通電はされている（主電源ボタン３１ｂはオンとなっている）が動作用の電源がオフ（動作用の電源キー３１ａがオフ）となっている紙葉類処理装置１に対して操作員が動作用の電源をオン（動作用の電源キー３１ｂをオン）し、通常作業を実行する場合について説明する。
【００３８】
まず、主電源ボタン３１ｂは、オンの状態となっているものとする。この状態において保守モードが有効となっている場合（ステップＳ４１、ＹＥＳ）、上記表示ランプ４７は、当該紙葉類処理装置１の動作用の電源オンあるいは電源オフの状態に係らず点灯状態となっている（ステップＳ４２）。従って、上記表示ランプ４７が点灯している場合、操作員は、例えば、保守員に連絡して当該紙葉類処理装置１の動作モードを通常モードに切替えるよう要請する。このような要請に応じて保守員が当該紙葉類処理装置１の動作モードを通常モードへ切替える操作（保守モードを解除する操作）を行った場合（ステップＳ４３）、上記主制御部４１は、上記ステップＳ１８あるいはＳ３４と同様に、当該紙葉類処理装置の動作モードを通常モードへ切替える切替処理を実行する（ステップＳ４４）。これにより、当該紙葉類処理装置１の動作モードが通常モードに切替えられる。
【００３９】
当該紙葉類処理装置１の動作モードが通常モードに切替られた場合、つまり、保守モードが解除された場合（ステップＳ４１、ＮＯ）、上記表示ランプ４７は消灯状態となる（ステップＳ４５）。この状態で操作員が電源キー３１ａを押下すると（ステップＳ４６）、上記主制御部４１は、再度、当該紙葉類処理装置１の動作モードが保守モードとなっているか否かを判断する（ステップＳ４７）。この判断により保守モードが有効であると判断した場合（ステップＳ４７、ＹＥＳ）、上記ステップＳ４２へ戻り、上記表示ランプ４７を再度点灯状態とする。
【００４０】
上記判断により保守モードが有効でないと判断した場合（ステップＳ４７、ＮＯ）、上記主制御部４１は、上記ステップＳ３５〜Ｓ３８と同様に、動作用の電源をオンし（ステップＳ４８）、通常処理を実行し（ステップＳ４９）、動作用の電源オフの指示に応じて動作用の電源をオフとする（ステップＳ５０、Ｓ５１）。
【００４１】
上記のように、第３の動作例によれば、動作用の電源のオンオフ状態に係らずに、紙葉類処理装置の動作モードが保守モードである場合には表示ランプを点灯するようにしたため、保守モードの状態で動作用の電源がオンしてしまうことを防止するとともに、保守モードであるか否かを操作員に対して分り易く報知することができる。
【００４２】
次に、第４の動作例としての保守作業から通常作業へ移行する手順について説明する。  
図６は、第４の動作例としての保守モードでの保守作業から通常モードでの通常作業へ移行する場合の手順を説明するためのフローチャートである。図６に示す第４の動作例では、保守モードで保守作業を実施した後に、当該紙葉類処理装置１の電源をオフすることなく引き続いて通常モードでの動作を行う場合について説明する。
【００４３】
まず、上記ステップＳ１２と同様に、保守員が上記操作盤３１により当該紙葉類処理装置１の動作モードを保守モードに切替えるための操作を行うものとする（ステップＳ６１）。当該紙葉類処理装置１の動作モードを保守モードへ切替える旨の操作がなされると、上記主制御部４１は、上記ステップＳ１３と同様に、各カバー開検出装置４５による各カバー４６の開検出処理を無効化し、当該紙葉類処理装置１の動作モードを通常モードから保守モードに切替える（ステップＳ６２）。動作モードが保守モードに切替ると、保守員は、必要に応じてカバー４６を開放し、保守モードにて当該紙葉類処理装置１を動作させることにより保守作業を行う（ステップＳ６３）。
【００４４】
この保守作業が終了すると、保守員は、通常、開放したカバー４６を閉じ、保守モードを解除（保守モードから通常モードへの切替）する旨の操作を行う（ステップＳ６４）。この場合、上記主制御部４１は、保守員による保守モードの解除する旨の操作に応じて当該紙葉類処理装置１の保守モードを解除（保守モードから通常モードへの切替）する。
【００４５】
このように保守作業が終了した後に保守員が保守モードを解除した場合、当該紙葉類処理装置１は、カバーの開検出処理を有効化して通常モードでの通常処理を行うことができる。すなわち、一般の操作員による通常モードでの通常処理の開始の指示に応じて（ステップＳ６６）、上記主制御部４１は、各カバーの開検出処理を有効化し、当該紙葉類処理装置１を通常モードとして動作させる（ステップＳ６７）。
【００４６】
しかしながら、保守作業が終了した後に保守員が保守モードを解除し忘れてしまった場合、当該紙葉類処理装置１は、動作用の電源がオンの状態であるが、カバーの開検出処理を有効とした通常モードでは動作できない。この場合、上記主制御部４１は、表示部３２に当該紙葉類処理装置１の動作モードが保守モードである旨を表示する（ステップＳ６８）。
【００４７】
上記表示部３２に保守モードである旨を表示した状態において、上記主制御部４１は、カバー開検出処理を無効としたままでの動作を可能とする。  これは、一種の緊急用の動作モードであり、カバー開検出処理を無効としたまま、つまり、カバーを開放したままでも動作するモードである。言い換えると、表示部３２に保守モードであることを表示することにより、操作員が保守モードであることを認識した上で、保守モードでの通常作業を可能とするものである。
【００４８】
すなわち、上記表示部３２に保守モードである旨を表示した状態において、一般の操作員による保守モードでの通常処理の開始の指示に応じて（ステップＳ６９）、上記主制御部４１は、各カバーの開検出処理を無効としたままの状態で当該紙葉類処理装置１を動作させ、通常処理を実行する（ステップＳ７０）。なお、ここでは、動作用の電源を一旦オフにすると、再度、電源キー３１ａを電源オンの状態にしても、保守モードのままでは、当該紙葉類処理装置１の動作用の電源はオンせず、通常処理ができないものとする。
【００４９】
上記のように、第４の動作例によれば、動作モードが保守モードの場合、表示部に保守モードである旨を表示し、保守モードである旨を表示部に表示して状態において保守モードのままで通常処理を実行するようにしたものである。
【００５０】
これにより、保守員が保守モードを解除し忘れて帰ってしまった場合、当該紙葉類処理装置１の動作用の電源がオンのままであれば、保守モードである旨の表示によって操作員が保守モードであることを認識した上で、カバーを開放したままでも紙葉類の区分集積処理などの通常処理を可能とすることができる。この結果、保守員が保守モードを解除し忘れて帰ってしまった場合のような緊急時であっても業務（通常処理）を停止させることなく、通常作業を実施することができる。
【００５１】
次に、第５、第６の動作例に係るキースイッチ３１ｃの構成例について詳細に説明する。  
図７〜図１０は、キースイッチ３１ｃの例を示す図である。図７は、通常モードの場合のキースイッチ３１ｃの状態を示す図である。図８は、通常モードの状態のキースイッチ３１ｃにキーＫを差し込んだ状態を示す図である。図９は、保守モードの状態のキースイッチ３１ｃにキーＫを差し込んだ状態を示す図である。図１０は、保守モードの場合のキースイッチ３１ｃの状態を示す図である。
【００５２】
すなわち、通常モードの場合、キースイッチ３１ｃは、図７に示すような状態となっており、この状態で当該紙葉類処理装置１は、通常処理を行う。また、上記キースイッチ３１ｃを操作するキーＫは、保守員が所持している。通常モードの紙葉類処理装置１を保守モードに切替える場合、保守員は、まず、図７の状態のキースイッチ３１ｃにキーＫを差し込むことにより図８の状態とする。
【００５３】
さらに、キーＫをキースイッチ３１ｃに差し込んだままの状態において、保守員は、図９に示すような状態になるようにキーＫをひねる。図９に示すキースイッチ３１ｃの状態が保守モードであり、保守員は、図９に示す状態のままキースイッチ３１ｃからキーＫを引き抜く。これにより、キースイッチ３１ｃは、図１０に示すような保守モードの状態となる。
【００５４】
以上のようなキースイッチ３１ｃへの操作によって当該紙葉類処理装置１の動作モードはキーＫを用いて通常モードや保守モードに切替えることが可能となる。また、この場合、運用形態として、保守員のみがキーＫを所持するようにすることにより、動作モードの変更を保守員のみが実施できるようになっている。
【００５５】
次に、第５の動作例としてのキースイッチ３１ｃによって動作モードを保守モードへ切替える手順について説明する。  
図１１及び図１２は、動作モードの切替を指示する手段としてキースイッチ３１ｃを採用している紙葉類処理装置における保守作業の手順を説明するためのフローチャートである。図１１及び図１２に示す第５の動作例では、キースイッチ３１ｃにより保守モードへの切替及び解除を実施する場合について説明する。なお、基本的な流れは、図  を用いて説明した手順と同様である。
【００５６】
まず、紙葉類処理装置１が通常モードで電源がオンとなっているものとする（ステップＳ８１）。通常モードで電源がオンしている状態において、保守員は、上記操作盤３１のキースイッチ３１ｃにキーＫを差し込む（ステップＳ８２）。さらに、当該保守員は、キースイッチ３１ｃに差し込んだキーを回してキースイッチ３１ｃを保守モードの状態にする（ステップＳ８３）。上記ステップＳ８２及びＳ８３が動作モードを保守モードに切替えるための操作である。なお、上述のように、動作モードを切替るためのキーＫは、保守員のみが所持しているものであるため、動作モードの切替は保守員のみが行えるものである。
【００５７】
これに対して、上記主制御部４１は、キーＫによってキースイッチ３１ｃの状態が保守モードに変更されたことを検知する。上記キースイッチ３１ｃが保守モードの状態に変更されたことを検知すると、上記主制御部４１は、当該紙葉類処理装置１の動作モードを通常モードから保守モードに切替える処理を行う（ステップＳ８４）。保守モードへの切替処理は、上記ステップＳ１３と同様に、各カバー開検出装置４５による各カバー４６の開検出処理を無効化し、カバー４６が開放されている状態であっても、当該紙葉類処理装置１内の各部を動作させるようにする。
【００５８】
上記のような動作によって保守モードに切替ると、保守員は、上記キースイッチ３１ｃに差し込んだキーＫを抜き（ステップＳ８５）、必要に応じてカバー４６を開放し（ステップＳ８６）、当該紙葉類処理装置１を保守モードで動作させることにより保守作業を行う（ステップＳ８７）。この保守作業が完了すると（ステップＳ８８）、保守員は、開放したカバー４６を閉じる（ステップＳ８９）。さらに、保守作業を完了してカバー４６を閉じた後、保守員は、保守モードを解除（保守モードから通常モードへの切替）するため、再び、上記キースイッチ３１ｃにキーＫを差し込み（ステップＳ９０）、そのキーＫを回して保守モードを解除（通常モード）の状態にする（ステップＳ９１）。
【００５９】
これに対して、上記主制御部４１は、キーＫによってキースイッチ３１ｃの状態が保守モードの解除（通常モード）に変更されたことを検知する。上記キースイッチ３１ｃが保守モード解除（通常モード）の状態に変更されたことを検知すると、上記主制御部４１は、当該紙葉類処理装置１の動作モードを保守モードから通常モードに切替る処理を行う（ステップＳ９２）。通常モードへの切替処理は、上記ステップＳ１８と同様に、各カバー開検出装置４５による各カバー４６の開検出処理を有効化し、各カバー４６が閉じた状態であることを確認して当該紙葉類処理装置１を通常モードで動作させるものとする。
【００６０】
当該紙葉類処理装置１の動作モードを通常モードに切替えた後、保守員は、上記キースイッチ３１ｃに差し込んだキーＫを抜き取り（ステップＳ９３）、上記電源キー３１ａを電源オフの状態とする（ステップＳ９４）。これにより、上記主制御部４１は、通常モードの状態で当該紙葉類処理装置１の電源をオフとする（ステップＳ９５）。
【００６１】
なお、保守モードの解除（通常モードへの切替）を行わずに、保守モードのままで保守員が電源キー３１ａをオフの状態にした場合（ステップＳ９４）、上記主制御部４１は、保守モードの状態で当該紙葉類処理装置１の電源をオフとする（ステップＳ９５）。
【００６２】
上記のように、第５の動作例によれば、保守員が所持するキーＫにより状態が変更されるキースイッチ３１ｃの状態に応じて、通常モードから保守モードに切替えたり、保守モードから通常モードへの切替えたりするようにしたものである。これにより、動作モードを保守モードへの切替える際の作業を軽減することができるとともに、特定の人物（保守員）のみが動作モードを変更できるようにすることができる。
【００６３】
次に、第６の動作例としてのキースイッチ３１ｃによって動作モードを保守モードへ切替える手順について説明する。  
次に、第６の動作例としての通常モードにおける通常作業の手順について説明する。  
図１３は、第６の動作例としての通常モードでの通常作業の手順を説明するためのフローチャートである。図１３に示す第６の動作例では、電源がオフとなっている紙葉類処理装置１に対して操作員が電源をオンし、通常作業を実行する場合について説明する。
【００６４】
まず、操作員は、操作盤３１の電源キー３１ａを電源オンの状態とする。すると、上記主制御部４１は、上記電源キー３１ａが電源オンの状態となったことを検知する（ステップＳ１０１）。上記電源キー３１ａが電源オンの状態となると、上記主制御部４１は、上記ステップＳ３２と同様に、当該紙葉類処理装置１が現在保守モードであるか否かにより電源をオンすることが可能であるか否かを判断する（ステップＳ１０２）。また、ここでは、キースイッチ３１ｃの状態に基づいて当該紙葉類処理装置１の動作モードが保守モードであるか通常モードであるかを判断するものとする。
【００６５】
この判断により当該紙葉類処理装置１の電源をオンすることが可能であると判断した場合、つまり、上記キースイッチ３１ｃの状態が通常モードであると判断した場合（ステップＳ１０２、ＹＥＳ）、上記主制御部４１は、通常モードにて当該紙葉類処理装置１の電源をオンする（ステップＳ１０３）。これにより、当該紙葉類処理装置１は、通常モードによる紙葉類の区分集積処理などの通常処理が可能となる（ステップＳ１０４）。また、通常モードによる通常処理が終了した場合、操作員は、通常モードのまま電源キー３１ａを電源オフの状態にする（ステップＳ１０５）。すると、上記主制御部４１は、通常モードの状態で当該紙葉類処理装置１の電源をオフとする（ステップＳ１０６）。
【００６６】
また、上記判断により当該紙葉類処理装置１の電源をオンすることが可能でないと判断した場合、つまり、上記キースイッチ３１ｃの状態が保守モードであると判断した場合（ステップＳ３２、ＮＯ）、上記主制御部４１は、当該紙葉類処理装置１の電源をオンにしない。この場合、例えば、上記電源キー３１ａを電源オンの状態できないようにしたり、電源オンの状態にされた上記電源キー３１ａを電源オフの状態に戻すようにしたりすることにより、上記電源キー３１ａへの電源オンの指示を無効とする。また、保守員によって当該紙葉類処理装置１の動作モードが通常モードに切替えられるまで当該紙葉類処理装置１の電源はオンすることができないようになっている。
【００６７】
従って、当該操作員は、当該紙葉類処理装置１の動作用の電源をオンするために、例えば、キーＫを用いて上記キースイッチ３１ｃの状態を通常モードに切替えるよう保守員に要請する必要がある。ここで、保守員が居る場合（ステップＳ１０７、居る）、保守員は、操作員からの要請に応じてキーＫを用いて上記キースイッチ３１ｃを通常モードへ切替える操作（保守モードを解除する操作）を行う。
【００６８】
すなわち、保守員は、保守モードを解除（保守モードから通常モードへの切替）するため、再び、上記キースイッチ３１ｃにキーＫを差し込み（ステップＳ１０８）、そのキーＫを回して保守モードを解除（通常モード）の状態にする（ステップＳ１０９）。これに対して、上記主制御部４１は、キーＫによってキースイッチ３１ｃの状態が保守モードの解除（通常モード）に変更されたことを検知する。上記キースイッチ３１ｃが保守モード解除（通常モード）の状態に変更されたことを検知すると、上記主制御部４１は、当該紙葉類処理装置１の動作モードを保守モードから通常モードに切替る処理を行う（ステップＳ１１０）。通常モードへの切替処理は、上記ステップＳ１８あるいはＳ９２と同様に、各カバー開検出装置４５による各カバー４６の開検出処理を有効化し、各カバー４６が閉じた状態であることを確認して当該紙葉類処理装置１を通常モードで動作させるものとする。
【００６９】
当該紙葉類処理装置１の動作モードを通常モードに切替えた後、保守員は、上記キースイッチ３１ｃに差し込んだキーＫを抜き取る（ステップＳ１１１）。上記ステップＳ１０８〜Ｓ１１１までの作業によって、当該紙葉類処理装置１は、通常モードの状態となる。これにより、再度、操作員が電源キー３１ａを電源オンの状態にすることにより当該紙葉類処理装置１が通常モードで電源をオンされる。
【００７０】
上記のように、第６の動作例によれば、操作員により電源のオンが指示された場合に、上記キースイッチの状態に基づいて保守モードが有効であるか否かを判断し、保守モードが有効である場合には当該紙葉類処理装置の電源をオンしないようにしたものである。これにより、紙葉類処理装置が保守モードで電源がオンしたり、保守モードで電源がオフされた紙葉類処理装置が操作員によって通常モードで電源オンしたりすることがなく、保守員による保守モードの解除（通常モードへの切替え）を確実に行うことができる。
【図面の簡単な説明】
【００７１】
【図１】この発明の実施の形態に係る物品処理装置としての紙葉類処理装置１の内部構造を概略的に示す図である。
【図２】紙葉類処理装置の制御系統の構成を概略的に示す図である。
【図３】第１の動作例としての保守モードにおける保守作業の手順を説明するためのフローチャート。
【図４】第２の動作例としての通常モードでの通常作業の手順を説明するためのフローチャート。
【図５】第３の動作例としての通常モードでの通常作業の手順を説明するためのフローチャート。
【図６】第４の動作例としての保守モードでの保守作業から通常モードでの通常作業へ移行する場合の手順を説明するためのフローチャート。
【図７】通常モードの場合のキースイッチの状態を示す図。
【図８】通常モードの状態のキースイッチにキーを差し込んだ状態を示す図。
【図９】保守モードの状態のキースイッチにキーを差し込んだ状態を示す図。
【図１０】保守モードの場合のキースイッチの状態を示す図。
【図１１】第５の動作例としてのキースイッチを採用している紙葉類処理装置における保守作業の手順を説明するためのフローチャート。
【図１２】第５の動作例としてのキースイッチを採用している紙葉類処理装置における保守作業の手順を説明するためのフローチャート。
【図１３】第６の動作例としての通常モードでの通常作業の手順を説明するためのフローチャート。
【符号の説明】
【００７２】
１…紙葉類処理装置、３１…操作盤、３１ａ…電源キー、３１ｃ…キースイッチ、３１ｂ…主電源ボタン、３２…表示部、４１…主制御部、４５…カバー開検出装置、４６…カバー、４７…表示ランプ、Ｋ…キー
【図１】
2006099278.tif 000003
【図２】
2006099278.tif 000004
【図３】
2006099278.tif 000005
【図４】
2006099278.tif 000006
【図５】
2006099278.tif 000007
【図６】
2006099278.tif 000008
【図７】
2006099278.tif 000009
【図８】
2006099278.tif 000010
【図９】
2006099278.tif 000011
【図１０】
2006099278.tif 000012
【図１１】
2006099278.tif 000013
【図１２】
2006099278.tif 000014
【図１３】
2006099278.tif 000015